(57)【要約】【課題】複数のデバイスリンクプロファイルを作成するための作成条件の設定を容易に行う。【解決手段】デバイスリンクプロファイルの作成条件を少なくとも２種類以上設定し、２種類以上の作成条件のそれぞれに基づいて複数のデバイスリンクプロファイルを一括作成する装置において、作成条件を設定する際に、２種類以上の作成条件のうち二以上の作成条件について共通して適用される設定項目を有する設定画面を表示させる。ＲＧＢ／ＣＭＹＫ共通設定領域４０は、入力画像データがＲＧＢデータである場合の作成条件と、入力画像データがＣＭＹＫデータである場合の作成条件との両方に対して共通して適用される設定項目を有する。ＲＧＢ固有設定領域４１は、ＲＧＢデータに固有の設定項目を有し、ＣＭＹＫ固有設定領域４２は、ＣＭＹＫデータに固有の設定項目を有する。【選択図】図９
2011055379.tif 000002
【特許請求の範囲】
【請求項１】
表示部に表示された設定項目に従ったユーザによる操作入力を受け付ける操作部と、
前記操作部からの操作に基づいて複数のデバイス間の色変換処理に用いられるデバイスリンクプロファイルの作成条件を少なくとも２種類以上設定し、当該設定された２種類以上の作成条件のそれぞれに基づいて複数のデバイスリンクプロファイルを一括作成する制御部と、
を備え、
前記制御部は、前記２種類以上の作成条件を設定する際に、当該２種類以上の作成条件のうち二以上の作成条件について共通して適用される設定項目を有する設定画面を表示部に表示させる、
デバイスリンクプロファイル作成装置。
【請求項２】
前記２種類以上の作成条件は、入力画像データがＲＧＢ形式のデータである場合の作成条件と、入力画像データがＣＭＹＫ形式のデータである場合の作成条件と、を含む、
請求項１に記載のデバイスリンクプロファイル作成装置。
【請求項３】
前記２種類以上の作成条件は、入力画像データを構成する複数種類のオブジェクト毎の作成条件を含む、
請求項１又は２に記載のデバイスリンクプロファイル作成装置。
【請求項４】
前記複数種類のオブジェクトは、イメージ、テキスト又はグラフィックを含む、
請求項３に記載のデバイスリンクプロファイル作成装置。
【請求項５】
前記２種類以上の作成条件は、入力画像データがＲＧＢ形式のデータである場合の当該入力画像データを構成する複数種類のオブジェクト毎の作成条件と、入力画像データがＣＭＹＫ形式のデータである場合の当該入力画像データを構成する複数種類のオブジェクト毎の作成条件と、を含む、
請求項１に記載のデバイスリンクプロファイル作成装置。
【請求項６】
前記複数種類のオブジェクトは、イメージ、テキスト又はグラフィックを含む、
請求項５に記載のデバイスリンクプロファイル作成装置。
【請求項７】
前記設定画面は、入力画像データがＲＧＢ形式のデータである場合の作成条件と、入力画像データがＣＭＹＫ形式のデータである場合の作成条件との間で、同一のオブジェクトについて共通して適用される設定項目を有する、
請求項５又は６に記載のデバイスリンクプロファイル作成装置。
【請求項８】
前記設定画面は、入力画像データがＲＧＢ形式のデータである場合の作成条件、又は、入力画像データがＣＭＹＫ形式のデータである場合の作成条件について、入力画像データを構成する複数種類のオブジェクト間で共通して適用される設定項目を有する、
請求項５から７のいずれか一項に記載のデバイスリンクプロファイル作成装置。
【請求項９】
前記制御部は、前記２種類以上の作成条件を示す設定情報を複数記憶部に記憶させ、前記操作部からの操作に基づいて前記記憶部に記憶されている複数の設定情報のうちいずれか一の設定情報を選択し、当該選択された設定情報を前記記憶部から読み出し、当該読み出された設定情報に基づいて複数のデバイスリンクプロファイルを一括作成する、
請求項１から８のいずれか一項に記載のデバイスリンクプロファイル作成装置。
【請求項１０】
予め定められた少なくとも２種類以上のデバイスリンクプロファイルの作成条件を示す推奨設定情報を記憶する推奨設定情報記憶部を備え、
前記制御部は、前記操作部からの操作に基づいて前記推奨設定情報記憶部に記憶されている推奨設定情報を読み出し、当該読み出された推奨設定情報に基づいて複数のデバイスリンクプロファイルを一括作成する、
請求項１から９のいずれか一項に記載のデバイスリンクプロファイル作成装置。
【請求項１１】
制御部により、表示部に表示された設定項目に従った操作部からの操作に基づいて複数のデバイス間の色変換処理に用いられるデバイスリンクプロファイルの作成条件を少なくとも２種類以上設定する作成条件設定工程と、
前記制御部により、前記設定された２種類以上の作成条件のそれぞれに基づいて複数のデバイスリンクプロファイルを一括作成するプロファイル作成工程と、
を含み、
前記作成条件設定工程では、前記制御部により、前記２種類以上の作成条件のうち二以上の作成条件について共通して適用される設定項目を有する設定画面を表示部に表示させる、
デバイスリンクプロファイル作成方法。
【請求項１２】
コンピュータを、
表示部に表示された設定項目に従ったユーザによる操作入力を受け付ける操作部、
前記操作部からの操作に基づいて複数のデバイス間の色変換処理に用いられるデバイスリンクプロファイルの作成条件を少なくとも２種類以上設定し、当該設定された２種類以上の作成条件のそれぞれに基づいて複数のデバイスリンクプロファイルを一括作成する制御部、
として機能させるためのプログラムであって、
前記制御部は、前記２種類以上の作成条件を設定する際に、当該２種類以上の作成条件のうち二以上の作成条件について共通して適用される設定項目を有する設定画面を表示部に表示させる、
プログラム。
【発明の詳細な説明】
【技術分野】
【０００１】
本発明は、デバイスリンクプロファイル作成装置、デバイスリンクプロファイル作成方法及びプログラムに関する。
【背景技術】
【０００２】
一般に、ＣＭＹＫ表色系やＲＧＢ表色系で表される画像データは、入出力デバイスの入出力特性に依存している。例えば、同じＣＭＹＫの画像データをそのまま異なるプリンタで印刷した場合、プリンタによって異なる色で再現される。そこで、プリンタに出力する画像データに対して、目標とする色再現特性に合わせるための色変換処理を行う必要がある。色変換処理には、ＩＣＣ（International Color Consortium）により定義された色変換プロファイルが用いられる。
【０００３】
具体的には、まず、スキャナ等の入力デバイスに依存する色データ（ＲＧＢデータ等）を、入力デバイスプロファイルを用いてデバイスに依存しない色データ（Ｌ＊ａ＊ｂ＊データ、ＸＹＺデータ等）に変換する。そして、デバイスに依存しない色データを、出力デバイスプロファイルを用いて出力デバイスに依存する色データ（ＣＭＹＫデータ等）に変換する。色変換処理における演算回数が多くなると、演算処理に多大な時間がかかるとともに、演算処理による誤差も累積するため、入力デバイスプロファイルと出力デバイスプロファイルとを合成する方法が提案されている（特許文献１参照）。
【０００４】
また、近年、色変換処理を行うプリンタコントローラにおいて、入力画像データのデータ形式（ＲＧＢ形式のデータ又はＣＭＹＫ形式のデータ）毎、入力画像データを構成するオブジェクト（イメージ、テキスト又はグラフィック）毎に、異なるデバイスリンクプロファイルを適用可能なものがある。
【０００５】
図１６を参照して、従来のデバイスリンクプロファイル作成処理について説明する。デバイスリンクプロファイルは、一般的なＰＣ（Personal Computer）等によって構成されるデバイスリンクプロファイル作成装置により作成される。本処理は、プリンタコントローラに必要な複数のデバイスリンクプロファイルを作成する処理である。
【０００６】
まず、デバイスリンクプロファイル作成装置により、ソースプロファイル（ターゲットプロファイル、シミュレーションプロファイル）が作成される（ステップＳ５１）。あるいは、ユーザの操作部からの操作により、予め作成されて記憶されているソースプロファイルの中からいずれか一のソースプロファイルが選択される。
【０００７】
次に、デバイスリンクプロファイル作成装置により、デスティネーションプロファイル（プリンタプロファイル）が作成される（ステップＳ５２）。あるいは、ユーザの操作部からの操作により、予め作成されて記憶されているデスティネーションプロファイルの中からいずれか一のデスティネーションプロファイルが選択される。
【０００８】
次に、デバイスリンクプロファイル作成装置おいて、ユーザの操作部からの操作により、デバイスリンクプロファイルの作成に必要な作成条件が設定される（ステップＳ５３）。デバイスリンクプロファイルの作成条件として、例えば、レンダリングインテント、ベタ保持（入力画像の色がＣ，Ｍ，Ｙ，Ｋ，Ｒ，Ｇ，Ｂのいずれかの最大階調で構成されている場合に、出力デバイスにおいても対応するＣ，Ｍ，Ｙ，Ｋのうち１色又は２色の最大階調で再現すること）、中間にごり除去（入力画像の色がＣ，Ｍ，Ｙ，Ｋ，Ｒ，Ｇ，Ｂのいずれかのみで構成されている場合に、出力デバイスにおいても対応するＣ，Ｍ，Ｙ，Ｋのうち１色又は２色のみで再現すること）等が設定される。
【０００９】
次に、デバイスリンクプロファイル作成装置により、ソースプロファイル、デスティネーションプロファイル、設定された作成条件に基づいて、デバイスリンクプロファイルが作成される（ステップＳ５４）。
【００１０】
次に、ユーザはプリンタコントローラに必要な全種類のデバイスリンクプロファイルの作成が終了したか否かを確認する（ステップＳ５５）。まだ作成されていないデバイスリンクプロファイルがある場合には（ステップＳ５５；ＮＯ）、ステップＳ５１に戻り、ステップＳ５１〜ステップＳ５４の処理が繰り返される。ステップＳ５５において、プリンタコントローラに必要な全種類のデバイスリンクプロファイルの作成が終了した場合には（ステップＳ５５；ＹＥＳ）、本処理が終了する。
【００１１】
このようにして、入力画像データのデータ形式毎、入力画像データを構成するオブジェクト毎に作成された複数のデバイスリンクプロファイルはプリンタコントローラに保存される。プリンタコントローラでは、入力画像データに応じて、複数のデバイスリンクプロファイルを使用して色変換処理が行われる。
【先行技術文献】
【特許文献】
【００１２】
【特許文献１】特開２００１−７８０４７号公報
【発明の概要】
【発明が解決しようとする課題】
【００１３】
しかしながら、複数のデバイスリンクプロファイルを作成するためには、デバイスリンクプロファイル毎に、上述したステップＳ５１〜ステップＳ５４の処理を繰り返し行う必要があり、煩雑な作業であった。また、ユーザがオブジェクト毎の色変換の特性を把握して、それぞれのオブジェクトタイプに対して最適なデバイスリンクプロファイルの作成条件を設定する必要があった。
【００１４】
本発明は上記の従来技術における問題に鑑みてなされたものであって、複数のデバイスリンクプロファイルを作成するための作成条件の設定を容易に行うことを課題とする。
【課題を解決するための手段】
【００１５】
上記課題を解決するために、請求項１に記載のデバイスリンクプロファイル作成装置は、表示部に表示された設定項目に従ったユーザによる操作入力を受け付ける操作部と、前記操作部からの操作に基づいて複数のデバイス間の色変換処理に用いられるデバイスリンクプロファイルの作成条件を少なくとも２種類以上設定し、当該設定された２種類以上の作成条件のそれぞれに基づいて複数のデバイスリンクプロファイルを一括作成する制御部と、を備え、前記制御部は、前記２種類以上の作成条件を設定する際に、当該２種類以上の作成条件のうち二以上の作成条件について共通して適用される設定項目を有する設定画面を表示部に表示させる。
【００１６】
請求項２に記載の発明は、請求項１に記載のデバイスリンクプロファイル作成装置において、前記２種類以上の作成条件は、入力画像データがＲＧＢ形式のデータである場合の作成条件と、入力画像データがＣＭＹＫ形式のデータである場合の作成条件と、を含む。
【００１７】
請求項３に記載の発明は、請求項１又は２に記載のデバイスリンクプロファイル作成装置において、前記２種類以上の作成条件は、入力画像データを構成する複数種類のオブジェクト毎の作成条件を含む。
【００１８】
請求項４に記載の発明は、請求項３に記載のデバイスリンクプロファイル作成装置において、前記複数種類のオブジェクトは、イメージ、テキスト又はグラフィックを含む。
【００１９】
請求項５に記載の発明は、請求項１に記載のデバイスリンクプロファイル作成装置において、前記２種類以上の作成条件は、入力画像データがＲＧＢ形式のデータである場合の当該入力画像データを構成する複数種類のオブジェクト毎の作成条件と、入力画像データがＣＭＹＫ形式のデータである場合の当該入力画像データを構成する複数種類のオブジェクト毎の作成条件と、を含む。
【００２０】
請求項６に記載の発明は、請求項５に記載のデバイスリンクプロファイル作成装置において、前記複数種類のオブジェクトは、イメージ、テキスト又はグラフィックを含む。
【００２１】
請求項７に記載の発明は、請求項５又は６に記載のデバイスリンクプロファイル作成装置において、前記設定画面は、入力画像データがＲＧＢ形式のデータである場合の作成条件と、入力画像データがＣＭＹＫ形式のデータである場合の作成条件との間で、同一のオブジェクトについて共通して適用される設定項目を有する。
【００２２】
請求項８に記載の発明は、請求項５から７のいずれか一項に記載のデバイスリンクプロファイル作成装置において、前記設定画面は、入力画像データがＲＧＢ形式のデータである場合の作成条件、又は、入力画像データがＣＭＹＫ形式のデータである場合の作成条件について、入力画像データを構成する複数種類のオブジェクト間で共通して適用される設定項目を有する。
【００２３】
請求項９に記載の発明は、請求項１から８のいずれか一項に記載のデバイスリンクプロファイル作成装置において、前記制御部は、前記２種類以上の作成条件を示す設定情報を複数記憶部に記憶させ、前記操作部からの操作に基づいて前記記憶部に記憶されている複数の設定情報のうちいずれか一の設定情報を選択し、当該選択された設定情報を前記記憶部から読み出し、当該読み出された設定情報に基づいて複数のデバイスリンクプロファイルを一括作成する。
【００２４】
請求項１０に記載の発明は、請求項１から９のいずれか一項に記載のデバイスリンクプロファイル作成装置において、予め定められた少なくとも２種類以上のデバイスリンクプロファイルの作成条件を示す推奨設定情報を記憶する推奨設定情報記憶部を備え、前記制御部は、前記操作部からの操作に基づいて前記推奨設定情報記憶部に記憶されている推奨設定情報を読み出し、当該読み出された推奨設定情報に基づいて複数のデバイスリンクプロファイルを一括作成する。
【００２５】
請求項１１に記載のデバイスリンクプロファイル作成方法は、制御部により、表示部に表示された設定項目に従った操作部からの操作に基づいて複数のデバイス間の色変換処理に用いられるデバイスリンクプロファイルの作成条件を少なくとも２種類以上設定する作成条件設定工程と、前記制御部により、前記設定された２種類以上の作成条件のそれぞれに基づいて複数のデバイスリンクプロファイルを一括作成するプロファイル作成工程と、を含み、前記作成条件設定工程では、前記制御部により、前記２種類以上の作成条件のうち二以上の作成条件について共通して適用される設定項目を有する設定画面を表示部に表示させる。
【００２６】
請求項１２に記載の発明は、コンピュータを、表示部に表示された設定項目に従ったユーザによる操作入力を受け付ける操作部、前記操作部からの操作に基づいて複数のデバイス間の色変換処理に用いられるデバイスリンクプロファイルの作成条件を少なくとも２種類以上設定し、当該設定された２種類以上の作成条件のそれぞれに基づいて複数のデバイスリンクプロファイルを一括作成する制御部、として機能させるためのプログラムであって、前記制御部は、前記２種類以上の作成条件を設定する際に、当該２種類以上の作成条件のうち二以上の作成条件について共通して適用される設定項目を有する設定画面を表示部に表示させる。
【発明の効果】
【００２７】
請求項１、１１、１２に記載の発明によれば、共通の設定項目については、二以上の作成条件を一括して設定することができるので、複数のデバイスリンクプロファイルを作成するための作成条件の設定を容易に行うことができる。
【００２８】
請求項２に記載の発明によれば、ＲＧＢ形式のデータ、ＣＭＹＫ形式のデータのそれぞれに対する作成条件の設定を容易に行うことができる。
【００２９】
請求項３、４に記載の発明によれば、オブジェクト毎の作成条件の設定を容易に行うことができる。
【００３０】
請求項５、６に記載の発明によれば、ＲＧＢ形式のデータのオブジェクト毎の作成条件、ＣＭＹＫ形式のデータのオブジェクト毎の作成条件の設定を容易に行うことができる。
【００３１】
請求項７に記載の発明によれば、同一のオブジェクトに対する共通の設定項目については、ＲＧＢ形式のデータに対する作成条件と、ＣＭＹＫ形式のデータに対する作成条件とを一括して設定することができるので、複数のデバイスリンクプロファイルを作成するための作成条件の設定を容易に行うことができる。
【００３２】
請求項８に記載の発明によれば、オブジェクト間での共通の設定項目については、二以上の作成条件を一括して設定することができるので、複数のデバイスリンクプロファイルを作成するための作成条件の設定を容易に行うことができる。
【００３３】
請求項９に記載の発明によれば、過去に設定された設定情報を利用することができるので、複数のデバイスリンクプロファイルを作成するための作成条件の設定を容易に行うことができる。
【００３４】
請求項１０に記載の発明によれば、推奨設定情報を利用することができるので、複数のデバイスリンクプロファイルを作成するための作成条件の設定を容易に行うことができる。
【図面の簡単な説明】
【００３５】
【図１】本発明の第１の実施の形態における印刷システムのシステム構成図である。
【図２】クライアントＰＣの機能的構成を示すブロック図である。
【図３】デバイスリンクプロファイルの作成方法の概略について説明するための図である。
【図４】プリンタコントローラの機能的構成を示すブロック図である。
【図５】プリンタの機能的構成を示すブロック図である。
【図６】クライアントＰＣにおいて実行されるデバイスリンクプロファイル作成処理を示すフローチャートである。
【図７】デバイスリンクプロファイルの作成条件一括設定処理Ａを示すフローチャートである。
【図８】デバイスリンクプロファイルの作成条件一括設定処理Ａを示すフローチャートである。
【図９】ＲＧＢデータとＣＭＹＫデータとの間で共通の設定項目が設けられた設定画面であって、ＲＧＢデータに固有の設定、ＣＭＹＫデータに固有の設定のそれぞれにおいてはオブジェクト間で共通の設定項目が設けられた設定画面の例である。
【図１０】ＲＧＢデータ、ＣＭＹＫデータ毎に、オブジェクト間で共通の設定項目が設けられた設定画面の例である。
【図１１】ＲＧＢデータについてはオブジェクト毎に設定項目が設けられた設定画面であって、ＣＭＹＫデータについてはオブジェクト間で共通の設定項目が設けられた設定画面の例である。
【図１２】ＲＧＢデータとＣＭＹＫデータとの間でオブジェクト毎に共通の設定項目が設けられた設定画面の例である。
【図１３】第２の実施の形態におけるデバイスリンクプロファイルの作成条件一括設定処理Ｂを示すフローチャートである。
【図１４】ＲＧＢイメージ用作成条件設定画面の例である。
【図１５】ＲＧＢグラフィック用作成条件設定画面の例である。
【図１６】従来のデバイスリンクプロファイル作成処理を示すフローチャートである。
【発明を実施するための形態】
【００３６】
［第１の実施の形態］
まず、本発明に係るデバイスリンクプロファイル作成装置の第１の実施の形態について説明する。
図１に、印刷システム１のシステム構成を示す。図１に示すように、印刷システム１は、デバイスリンクプロファイル作成装置としてのクライアントＰＣ（Personal Computer）１０、プリンタコントローラ２０、プリンタ３０を備えて構成されている。クライアントＰＣ１０とプリンタコントローラ２０とは、イーサネット（登録商標）等の通信ネットワークＮを介してデータ通信可能に接続されている。プリンタコントローラ２０とプリンタ３０とは、ＩＥＥＥ１３９４シリアルバス、ＵＳＢ（Universal Serial Bus）等の専用インターフェース用バスを介して接続されている。また、プリンタコントローラ２０は、プリンタ３０に内蔵されていてもよい。
【００３７】
図２に、クライアントＰＣ１０の機能的構成を示す。図２に示すように、クライアントＰＣ１０は、ＣＰＵ（Central Processing Unit）１１、ＲＡＭ（Random Access Memory）１２、記憶部１３、操作部１４、表示部１５、ネットワークＩＦ（InterFace）部１６、測色器ＩＦ部１７等を備えて構成され、各部はバス１８により接続されている。
【００３８】
ＣＰＵ１１は、クライアントＰＣ１０の各部の処理動作を統括的に制御する。ＣＰＵ１１は、操作部１４から入力される操作信号又はネットワークＩＦ部１６により受信した指示信号に応じて、記憶部１３に格納されている各種処理プログラムを読み出してＲＡＭ１２に展開し、当該プログラムとの協働により各種処理を実行する。
【００３９】
ＲＡＭ１２は、ＣＰＵ１１により実行される各種処理プログラム及びこれらプログラムに係るデータを一時的に記憶するワークエリアを形成する。
【００４０】
記憶部１３は、不揮発性の半導体メモリやハードディスク等の記憶装置からなり、各種処理プログラムや各種処理に関するデータ等を記憶する。例えば、記憶部１３は、ＯＳ（Operating System）、文書作成アプリケーションプログラム、デバイスリンクプロファイル作成プログラム１３１、プリンタドライバプログラム１３２、ＲＧＢソースプロファイル１３３、ＣＭＹＫソースプロファイル１３４、デスティネーションプロファイル（プリンタプロファイル）１３５、デバイスリンクプロファイル１３６、作成条件設定情報１３７等を記憶する。
【００４１】
ＲＧＢソースプロファイル１３３は、入力画像データがＲＧＢ形式のデータ（以下、ＲＧＢデータという。）である場合のソースプロファイル（ターゲットプロファイル、シミュレーションプロファイル）である。ＣＭＹＫソースプロファイル１３４は、入力画像データがＣＭＹＫ形式のデータ（以下、ＣＭＹＫデータという。）である場合のソースプロファイルである。ソースプロファイルは、色合わせの目標となるプロファイルであり、入力ＲＧＢ値又は入力ＣＭＹＫ値と、Ｌ＊ａ＊ｂ＊値又はＸＹＺ値等の入出力デバイスに依存しない共通色空間の色値との対応関係を記述したプロファイルである。ＲＧＢソースプロファイル１３３、ＣＭＹＫソースプロファイル１３４は、色変換テーブル等により記述される。
【００４２】
デスティネーションプロファイル１３５は、Ｌ＊ａ＊ｂ＊値又はＸＹＺ値等の入出力デバイスに依存しない共通色空間の色値と、出力デバイスに依存するＣＭＹＫ値との対応関係を記述したプロファイルである。デスティネーションプロファイル１３５は、色変換テーブル等により記述される。
【００４３】
デバイスリンクプロファイル１３６は、ソースプロファイル（ＲＧＢソースプロファイル１３３又はＣＭＹＫソースプロファイル１３４）とデスティネーションプロファイル１３５とを統合したプロファイルであり、入力ＲＧＢ値又は入力ＣＭＹＫ値と、出力デバイスにおけるＣＭＹＫ値との対応関係を記述したプロファイルである。
【００４４】
作成条件設定情報１３７は、メーカー推奨設定情報１３８、プリセット設定情報１３９を含む。メーカー推奨設定情報１３８は、予め定められた少なくとも２種類以上のデバイスリンクプロファイル１３６の作成条件を示す設定情報であって、プリンタコントローラ２０又はプリンタ３０のメーカーにより推奨されている設定情報である。プリセット設定情報１３９は、ユーザが任意に設定した２種類以上の作成条件を示す設定情報であって、これまでに保存されているものである。
【００４５】
操作部１４は、カーソルキー、文字入力キー、及び各種機能キー等を備えたキーボードと、マウス等のポインティングデバイスを備えて構成され、ユーザによる操作入力を受け付ける。操作部１４は、キーボードに対するキー操作やマウス操作により入力された操作信号をＣＰＵ１１に出力する。
【００４６】
表示部１５は、ＬＣＤ（Liquid Crystal Display）を備え、ＣＰＵ１１からの指示に従って、各種操作画面や各種処理結果を表示する。
【００４７】
ネットワークＩＦ部１６は、通信ネットワークＮを介して外部装置との間でデータの送受信を行う。例えば、ネットワークＩＦ部１６は、プリンタコントローラ２０にデバイスリンクプロファイル１３６を送信する。また、ネットワークＩＦ部１６は、プリンタコントローラ２０に印刷データを送信する。印刷データには、印刷内容を示す画像データ及び印刷設定情報等が含まれる。
【００４８】
測色器ＩＦ部１７は、測色器（図示せず）との間でデータの入出力を行う。測色器ＩＦ部１７は、測色器から測色データを受信する。測色データは、Ｌ＊ａ＊ｂ＊、ＸＹＺ等のデバイスに依存しない表色系で表される。
【００４９】
ＣＰＵ１１は、デバイスリンクプロファイル作成プログラム１３１との協働により、表示部１５に表示された設定項目に従った操作部１４からの操作に基づいて複数のデバイス間の色変換処理に用いられるデバイスリンクプロファイル１３６の作成条件を少なくとも２種類以上設定し、当該設定された２種類以上の作成条件のそれぞれに基づいて複数のデバイスリンクプロファイル１３６を一括作成する。
【００５０】
図３を参照して、デバイスリンクプロファイル１３６の作成方法の概略について説明する。
まず、ＣＰＵ１１は、デバイスリンクプロファイル１３６の作成に用いるＲＧＢソースプロファイル１３３及びＣＭＹＫソースプロファイル１３４を作成又は選択し、デバイスリンクプロファイル１３６の作成に用いるデスティネーションプロファイル１３５を作成又は選択する。
【００５１】
ＲＧＢソースプロファイル１３３、ＣＭＹＫソースプロファイル１３４を作成する場合には、ＣＰＵ１１は、予め色調整の目標となるモニタ又は印刷機で出力された、複数のカラーパッチで構成されるカラーチャートを測色器により測色した測色データを測色器ＩＦ部１７を介して受信し、当該測色データに基づいてＲＧＢソースプロファイル１３３、ＣＭＹＫソースプロファイル１３４を作成する。
【００５２】
デスティネーションプロファイル１３５を作成する場合には、ＣＰＵ１１は、プリンタ３０で出力されたカラーチャートを測色器により測色した測色データを測色器ＩＦ部１７を介して受信し、当該測色データに基づいてデスティネーションプロファイル１３５を作成する。
【００５３】
記憶部１３に予め記憶されているＲＧＢソースプロファイル１３３、ＣＭＹＫソースプロファイル１３４、デスティネーションプロファイル１３５を使用する場合には、ＣＰＵ１１は、操作部１４からの操作に基づいて、使用するＲＧＢソースプロファイル１３３、ＣＭＹＫソースプロファイル１３４、デスティネーションプロファイル１３５を選択する。
【００５４】
次に、ＣＰＵ１１は、操作部１４からの操作に基づいて、デバイスリンクプロファイル１３６の作成条件を２種類以上設定する。作成条件は、プリンタコントローラ２０において必要とされるデバイスリンクプロファイル１３６の種類の数だけ設定される。第１の実施の形態では、ＣＰＵ１１は、入力画像データがＲＧＢデータである場合のイメージオブジェクト用の作成条件（以下、ＲＧＢイメージ用作成条件という。）、入力画像データがＲＧＢデータである場合のテキストオブジェクト用の作成条件（以下、ＲＧＢテキスト用作成条件という。）、入力画像データがＲＧＢデータである場合のグラフィックオブジェクト用の作成条件（以下、ＲＧＢグラフィック用作成条件という。）、入力画像データがＣＭＹＫデータである場合のイメージオブジェクト用の作成条件（以下、ＣＭＹＫイメージ用作成条件という。）、入力画像データがＣＭＹＫデータである場合のテキストオブジェクト用の作成条件（以下、ＣＭＹＫテキスト用作成条件という。）、入力画像データがＣＭＹＫデータである場合のグラフィックオブジェクト用の作成条件（以下、ＣＭＹＫグラフィック用作成条件という。）の計６種類の作成条件を設定する。ＣＰＵ１１は、設定された２種類以上の作成条件を示す設定情報を、プリセット設定情報１３９として記憶部１３に保存することができる。
【００５５】
デバイスリンクプロファイル１３６の作成条件として、レンダリングインテント、ベタ保持、中間にごり除去、墨の置換、用紙シミュレーション等が設定される。
【００５６】
レンダリングインテントは、色変換方法を指定するものであり、「測色的レンダリング」、「彩度レンダリング」、「知覚レンダリング」のいずれかが指定される。
【００５７】
ベタ保持とは、入力画像の色がシアン（Ｃ），マゼンタ（Ｍ），イエロー（Ｙ），ブラック（Ｋ），レッド（Ｒ：マゼンタとイエロー），グリーン（Ｇ：シアンとイエロー），ブルー（Ｂ：シアンとマゼンタ）のいずれかの１００％（最大階調）で構成されている場合に、プリンタ３０においても対応するＣ，Ｍ，Ｙ，Ｋ，Ｒ，Ｇ，Ｂの１００％（最大階調）で再現することである。
【００５８】
中間にごり除去とは、入力画像の色がＣ，Ｍ，Ｙ，Ｋのうち１色のみで構成されている場合に、プリンタ３０においても対応するＣ，Ｍ，Ｙ，Ｋの１色のみで再現し、入力画像の色がＲ（マゼンタとイエロー），Ｇ（シアンとイエロー），Ｂ（シアンとマゼンタ）のいずれかのみで構成されている場合に、プリンタ３０においても対応するＣ，Ｍ，Ｙの２色の組み合わせのみで再現することである。
【００５９】
墨の置換とは、入力画像のＲＧＢ成分が等量の場合に、その色を墨（Ｋ）に置換することである。
【００６０】
用紙シミュレーションとは、用紙の白色を考慮するか否かの設定である。用紙シミュレーションが「ＯＮ」に設定された場合には、用紙の白色が考慮され、用紙シミュレーションが「ＯＦＦ」に設定された場合には、用紙の白色は考慮されない。
【００６１】
次に、ＣＰＵ１１は、各作成条件に基づいて複数のデバイスリンクプロファイル１３６を一括して作成する。具体的には、ＣＰＵ１１は、設定された各作成条件に従って、ＲＧＢイメージ用デバイスリンクプロファイル１３６ａ、ＲＧＢテキスト用デバイスリンクプロファイル１３６ｂ、ＲＧＢグラフィック用デバイスリンクプロファイル１３６ｃ、ＣＭＹＫイメージ用デバイスリンクプロファイル１３６ｄ、ＣＭＹＫテキスト用デバイスリンクプロファイル１３６ｅ、ＣＭＹＫグラフィック用デバイスリンクプロファイル１３６ｆを作成する。
【００６２】
ＣＰＵ１１は、一括作成された複数のデバイスリンクプロファイル１３６（ＲＧＢイメージ用デバイスリンクプロファイル１３６ａ、ＲＧＢテキスト用デバイスリンクプロファイル１３６ｂ、ＲＧＢグラフィック用デバイスリンクプロファイル１３６ｃ、ＣＭＹＫイメージ用デバイスリンクプロファイル１３６ｄ、ＣＭＹＫテキスト用デバイスリンクプロファイル１３６ｅ、ＣＭＹＫグラフィック用デバイスリンクプロファイル１３６ｆ）を記憶部１３に記憶させる。
【００６３】
ＣＰＵ１１は、２種類以上の作成条件を設定する際に、２種類以上の作成条件のうち二以上の作成条件について共通して適用される設定項目を有する設定画面を表示部１５に表示させる。具体的には、ＣＰＵ１１は、入力画像データがＲＧＢデータである場合の作成条件と、入力画像データがＣＭＹＫデータである場合の作成条件との間で、同一のオブジェクトについて共通して適用される設定項目を有する設定画面を表示部１５に表示させる。また、ＣＰＵ１１は、入力画像データがＲＧＢデータである場合の作成条件、又は、入力画像データがＣＭＹＫデータである場合の作成条件について、入力画像データを構成する複数種類のオブジェクト間で共通して適用される設定項目を有する設定画面を表示部１５に表示させる。
【００６４】
ＣＰＵ１１は、プリセット設定情報１３９を使用して複数のデバイスリンクプロファイル１３６を作成する場合、操作部１４からの操作に基づいて、記憶部１３に記憶されている複数のプリセット設定情報１３９のうちいずれか一のプリセット設定情報１３９を選択し、当該選択されたプリセット設定情報１３９を記憶部１３から読み出し、当該読み出されたプリセット設定情報１３９に基づいて複数のデバイスリンクプロファイル１３６を一括作成する。
【００６５】
ＣＰＵ１１は、メーカー推奨設定情報１３８を使用して複数のデバイスリンクプロファイル１３６を作成する場合、操作部１４からの操作に基づいて、記憶部１３に記憶されているメーカー推奨設定情報１３８を読み出し、当該読み出されたメーカー推奨設定情報１３８に基づいて複数のデバイスリンクプロファイル１３６を一括作成する。
【００６６】
ＣＰＵ１１は、ネットワークＩＦ部１６を介して複数のデバイスリンクプロファイル１３６をプリンタコントローラ２０に送信する。
【００６７】
ＣＰＵ１１は、プリンタドライバプログラム１３２との協働により、プリンタコントローラ２０経由でプリンタ３０に印刷指示を行う。具体的には、ＣＰＵ１１は、文書作成アプリケーションプログラムにより作成された文書ファイルに基づいて、プリンタコントローラ２０が解釈可能なページ記述言語（ＰＣＬ（Printer Control Language）やPostScript（登録商標）等のＰＤＬ（Page Description Language））で記述された印刷データを生成し、生成された印刷データをネットワークＩＦ部１６を介してプリンタコントローラ２０に送信する。
【００６８】
図４に、プリンタコントローラ２０の機能的構成を示す。図４に示すように、プリンタコントローラ２０は、ＣＰＵ２１、ＲＡＭ２２、記憶部２３、操作部２４、表示部２５、ネットワークＩＦ部２６、プリンタＩＦ部２７等を備えて構成され、各部はバス２８により接続されている。
【００６９】
ＣＰＵ２１は、プリンタコントローラ２０の各部の処理動作を統括的に制御する。ＣＰＵ２１は、操作部２４から入力される操作信号又はネットワークＩＦ部２６により受信した指示信号に応じて、記憶部２３に格納されている各種処理プログラムを読み出してＲＡＭ２２に展開し、当該プログラムとの協働により各種処理を実行する。
【００７０】
ＲＡＭ２２は、ＣＰＵ２１により実行される各種処理プログラム及びこれらプログラムに係るデータを一時的に記憶するワークエリアを形成する。
【００７１】
記憶部２３は、不揮発性の半導体メモリやハードディスク等の記憶装置からなり、各種処理プログラムや各種処理に関するデータ等を記憶する。例えば、記憶部２３は、ＲＩＰ（Raster Image Processer）処理プログラム２３１、ＣＭＳ（Color Management System）処理プログラム２３２、デバイスリンクプロファイル２３３等を記憶する。
【００７２】
操作部２４は、カーソルキー、文字入力キー、及び各種機能キー等を備えたキーボードと、マウス等のポインティングデバイスを備えて構成され、ユーザによる操作入力を受け付ける。操作部２４は、キーボードに対するキー操作やマウス操作により入力された操作信号をＣＰＵ２１に出力する。
【００７３】
表示部２５は、ＬＣＤを備え、ＣＰＵ２１からの指示に従って、各種操作画面や各種処理結果を表示する。
【００７４】
ネットワークＩＦ部２６は、通信ネットワークＮを介して外部装置との間でデータの送受信を行う。例えば、ネットワークＩＦ部２６は、クライアントＰＣ１０から複数のデバイスリンクプロファイル１３６を受信する。また、ネットワークＩＦ部２６は、クライアントＰＣ１０から印刷データを受信する。
【００７５】
プリンタＩＦ部２７は、プリンタ３０との間でデータの入出力を行う。プリンタＩＦ部２７は、プリンタ３０に対してビットマップ形式の画像データを送信する。
【００７６】
ＣＰＵ２１は、ＲＩＰ処理プログラム２３１との協働により、印刷データ（ＰＤＬデータ）を解析し、ビットマップ形式の画像データに展開する。また、ＣＰＵ２１は、ＣＭＳ処理プログラム２３２との協働により、ビットマップ形式の画像データに対して色変換処理を行う。
【００７７】
図５に、プリンタ３０の機能的構成を示す。図５に示すように、プリンタ３０は、ＣＰＵ３１、ＲＡＭ３２、記憶部３３、操作部３４、表示部３５、画像読取部３６、印刷部３７、コントローラＩＦ部３８等を備えて構成され、各部はバス３９により接続されている。プリンタ３０は、プリンタコントローラ２０から受信したビットマップ形式の画像データに基づいて、印刷を行う画像形成装置である。
【００７８】
ＣＰＵ３１は、プリンタ３０の各部の処理動作を統括的に制御する。ＣＰＵ３１は、操作部３４から入力される操作信号又はコントローラＩＦ部３８により受信した指示信号に応じて、記憶部３３に格納されている各種処理プログラムを読み出してＲＡＭ３２に展開し、当該プログラムとの協働により各種処理を実行する。
【００７９】
ＲＡＭ３２は、ＣＰＵ３１により実行される各種処理プログラム及びこれらプログラムに係るデータを一時的に記憶するワークエリアを形成する。
【００８０】
記憶部３３は、不揮発性の半導体メモリやハードディスク等の記憶装置からなり、各種処理プログラムや各種処理に関するデータ等を記憶する。例えば、記憶部３３は、プリンタコントローラ２０から受信した画像データを記憶する。
【００８１】
操作部３４は、数字入力キー、スタートキー、タッチパネル等を備えて構成され、ユーザによる操作入力を受け付ける。操作部３４は、キーやタッチパネルの操作により入力された操作信号をＣＰＵ３１に出力する。
【００８２】
表示部３５は、ＬＣＤを備え、ＣＰＵ３１からの指示に従って、各種操作画面や各種処理結果を表示する。
【００８３】
画像読取部３６は、画像読取指示に従い、原稿台に載置された原稿、又は、ＡＤＦ（Auto Document Feeder）によって所定の読取位置に搬送された原稿の画像を読み取り、画像データを生成する。
【００８４】
印刷部３７は、印刷指示に従い、ビットマップ形式の画像データに基づいて印刷処理を行う。例えば、印刷部３７は、電子写真方式の画像形成を行うものであり、感光ドラム、感光ドラムの帯電を行う帯電部、画像データに基づいて感光ドラム表面を露光走査する露光部、感光ドラムにトナーを付着させる現像部、感光ドラム上に形成されたトナー像を印刷用紙に転写する転写部、印刷用紙上に形成されたトナー像を定着させる定着部等から構成される。
【００８５】
コントローラＩＦ部３８は、プリンタコントローラ２０との間でデータの入出力を行う。コントローラＩＦ部３８は、プリンタコントローラ２０からビットマップ形式の画像データを受信する。
【００８６】
次に、クライアントＰＣ１０における動作について説明する。
図６に、クライアントＰＣ１０において実行されるデバイスリンクプロファイル作成処理のフローチャートを示す。デバイスリンクプロファイル作成処理は、ＣＰＵ１１と、記憶部１３に記憶されているデバイスリンクプロファイル作成プログラム１３１との協働によるソフトウェア処理によって実現される。
【００８７】
まず、ＣＰＵ１１により、デバイスリンクプロファイル１３６の作成に用いられるＲＧＢソースプロファイル１３３が作成又は選択される（ステップＳ１）。次に、ＣＰＵ１１により、デバイスリンクプロファイル１３６の作成に用いられるＣＭＹＫソースプロファイル１３４が作成又は選択される（ステップＳ２）。次に、ＣＰＵ１１により、デバイスリンクプロファイル１３６の作成に用いられるデスティネーションプロファイル１３５が作成又は選択される（ステップＳ３）。
【００８８】
次に、ＣＰＵ１１により、デバイスリンクプロファイルの作成条件一括設定処理Ａが行われる（ステップＳ４）。
【００８９】
ここで、図７及び図８を参照して、デバイスリンクプロファイルの作成条件一括設定処理Ａについて説明する。
まず、ＣＰＵ１１により、デバイスリンクプロファイル１３６の作成条件として、メーカー推奨設定情報１３８又はプリセット設定情報１３９が使用されるか否かが判断される（ステップＳ１１）。具体的には、ＣＰＵ１１により、メーカー推奨設定情報１３８又はプリセット設定情報１３９の使用を指定するための設定画面が表示部１５に表示され、ユーザの操作部１４からの操作により、メーカー推奨設定情報１３８又はプリセット設定情報１３９が使用されるか否かが指定される。
【００９０】
デバイスリンクプロファイル１３６の作成条件として、メーカー推奨設定情報１３８又はプリセット設定情報１３９が使用される場合には（ステップＳ１１；ＹＥＳ）、ＣＰＵ１１により、記憶部１３に記憶されているメーカー推奨設定情報１３８、及び、一又は複数のプリセット設定情報１３９が表示部１５に選択可能に表示される。そして、ＣＰＵ１１により、ユーザの操作部１４からの操作に基づいて、メーカー推奨設定情報１３８及びプリセット設定情報１３９の中からいずれか一の設定情報が選択される（ステップＳ１２）。ＣＰＵ１１により、選択された設定情報に含まれる６種類の作成条件が、複数のデバイスリンクプロファイル１３６を作成するための作成条件として設定される。
【００９１】
ステップＳ１１において、デバイスリンクプロファイル１３６の作成条件として、メーカー推奨設定情報１３８又はプリセット設定情報１３９が使用されない場合（ステップＳ１１；ＮＯ）、すなわち、ユーザが新たに設定を行う場合には、ＣＰＵ１１により、入力画像データがＣＭＹＫデータである場合の作成条件についてオブジェクト間で共通の設定を行うか否かが判断される（ステップＳ１３）。具体的には、ＣＰＵ１１により、ＣＭＹＫデータについてオブジェクト間で共通の設定を行うか否かを指定するための設定画面が表示部１５に表示され、ユーザの操作部１４からの操作により、ＣＭＹＫデータについてオブジェクト間で共通の設定を行うか否かが指定される。
【００９２】
入力画像データがＣＭＹＫデータである場合の作成条件についてオブジェクト間で共通の設定を行う場合には（ステップＳ１３；ＹＥＳ）、ＣＰＵ１１により、入力画像データがＲＧＢデータである場合の作成条件についてオブジェクト間で共通の設定を行うか否かが判断される（ステップＳ１４）。具体的には、ＣＰＵ１１により、ＲＧＢデータについてについてオブジェクト間で共通の設定を行うか否かを指定するための設定画面が表示部１５に表示され、ユーザの操作部１４からの操作により、ＲＧＢデータについてオブジェクト間で共通の設定を行うか否かが指定される。
【００９３】
入力画像データがＲＧＢデータである場合の作成条件についてオブジェクト間で共通の設定を行う場合には（ステップＳ１４；ＹＥＳ）、ＣＰＵ１１により、入力画像データがＲＧＢデータである場合の作成条件と、入力画像データがＣＭＹＫデータである場合の作成条件との間で共通の設定を行うか否かが判断される（ステップＳ１５）。具体的には、ＣＰＵ１１により、ＲＧＢデータとＣＭＹＫデータとの間で共通の設定を行うか否かを指定するための設定画面が表示部１５に表示され、ユーザの操作部１４からの操作により、ＲＧＢデータとＣＭＹＫデータとの間で共通の設定を行うか否かが指定される。
【００９４】
入力画像データがＲＧＢデータである場合の作成条件と、入力画像データがＣＭＹＫデータである場合の作成条件との間で共通の設定を行う場合には（ステップＳ１５；ＹＥＳ）、ＣＰＵ１１により、ＲＧＢデータとＣＭＹＫデータとの間で共通して適用される設定項目が設けられた設定画面であって、ＲＧＢデータに固有の設定、ＣＭＹＫデータに固有の設定のそれぞれにおいてはオブジェクト間で共通して適用される設定項目が設けられた設定画面が表示部１５に表示される（ステップＳ１６）。
【００９５】
図９に、ステップＳ１６において表示される設定画面１５１の例を示す。設定画面１５１は、ＲＧＢ／ＣＭＹＫ共通設定領域４０、ＲＧＢ固有設定領域４１、ＣＭＹＫ固有設定領域４２を有する。
【００９６】
ＲＧＢ／ＣＭＹＫ共通設定領域４０は、入力画像データがＲＧＢデータである場合の作成条件と、入力画像データがＣＭＹＫデータである場合の作成条件との両方に対して共通して適用される設定項目を有する領域である。ＲＧＢ／ＣＭＹＫ共通設定領域４０には、レンダリングインテント設定領域４３、Ｃ，Ｍ，Ｙ，Ｒ，Ｇ，Ｂについての中間にごり除去設定領域４４が含まれる。レンダリングインテント設定領域４３は、「測色的レンダリング」、「彩度レンダリング」、「知覚レンダリング」の中から色変換方法を指定するための領域である。Ｃ，Ｍ，Ｙ，Ｒ，Ｇ，Ｂについての中間にごり除去設定領域４４は、入力画像の色がＣ，Ｍ，Ｙ，Ｒ，Ｇ，Ｂのいずれかで構成されている場合に、プリンタ３０においても対応するＣ，Ｍ，Ｙの１色のみ、又は、Ｃ，Ｍ，Ｙの２色の組み合わせのみで再現するよう設定するための領域である。Ｃ，Ｍ，Ｙ，Ｒ，Ｇ，Ｂについての中間にごり除去設定領域４４は、Ｃ，Ｍ，Ｙ，Ｒ，Ｇ，Ｂの色毎に設定可能となっている。
【００９７】
デバイスリンクプロファイル１３６の作成条件を設定する際に（ステップＳ２４）、ＲＧＢ／ＣＭＹＫ共通設定領域４０において設定される設定内容は、ＣＰＵ１１により、ＲＧＢイメージ用作成条件、ＲＧＢテキスト用作成条件、ＲＧＢグラフィック用作成条件、ＣＭＹＫイメージ用作成条件、ＣＭＹＫテキスト用作成条件、ＣＭＹＫグラフィック用作成条件の設定内容として、ＲＡＭ１２に格納される。
【００９８】
ＲＧＢ固有設定領域４１は、ＲＧＢデータに固有の設定項目を有する領域である。ＲＧＢ固有設定領域４１は、ＲＧＢデータの作成条件についてオブジェクト間で共通して適用される設定項目を有する。ＲＧＢ固有設定領域４１には、墨の置換設定領域４５が含まれる。墨の置換設定領域４５が「ＯＮ」に設定されると、色変換処理において、入力画像のＲＧＢ成分が等量の場合に、その色が墨（Ｋ）に置換される。
【００９９】
デバイスリンクプロファイル１３６の作成条件を設定する際に（ステップＳ２４）、ＲＧＢ固有設定領域４１において設定される設定内容は、ＣＰＵ１１により、ＲＧＢイメージ用作成条件、ＲＧＢテキスト用作成条件、ＲＧＢグラフィック用作成条件の設定内容として、ＲＡＭ１２に格納される。
【０１００】
ＣＭＹＫ固有設定領域４２は、ＣＭＹＫデータに固有の設定項目を有する領域である。ＣＭＹＫ固有設定領域４２は、ＣＭＹＫデータの作成条件についてオブジェクト間で共通して適用される設定項目を有する。ＣＭＹＫ固有設定領域４２には、Ｋについての中間にごり除去設定領域４６、Ｃ，Ｍ，Ｙ，Ｋ，Ｒ，Ｇ，Ｂについてのベタ保持設定領域４７、用紙シミュレーション設定領域４８が含まれる。Ｋについての中間にごり除去設定領域４６は、入力画像の色がＫのみで構成されている場合に、プリンタ３０においても対応するＫ１色のみで再現するよう設定するための領域である。Ｃ，Ｍ，Ｙ，Ｋ，Ｒ，Ｇ，Ｂについてのベタ保持設定領域４７は、入力画像の色がＣ，Ｍ，Ｙ，Ｋ，Ｒ，Ｇ，Ｂのいずれかの１００％（最大階調）で構成されている場合に、プリンタ３０においても対応するＣ，Ｍ，Ｙ，Ｋ，Ｒ，Ｇ，Ｂの１００％（最大階調）で再現するよう設定するための領域である。Ｃ，Ｍ，Ｙ，Ｋ，Ｒ，Ｇ，Ｂについてのベタ保持設定領域４７は、Ｃ，Ｍ，Ｙ，Ｋ，Ｒ，Ｇ，Ｂの色毎に設定可能となっている。用紙シミュレーション設定領域４８が「ＯＮ」に設定されると、デバイスリンクプロファイル１３６の作成において、用紙の白色が考慮される。
【０１０１】
デバイスリンクプロファイル１３６の作成条件を設定する際に（ステップＳ２４）、ＣＭＹＫ固有設定領域４２において設定される設定内容は、ＣＰＵ１１により、ＣＭＹＫイメージ用作成条件、ＣＭＹＫテキスト用作成条件、ＣＭＹＫグラフィック用作成条件の設定内容として、ＲＡＭ１２に格納される。
【０１０２】
ステップＳ１５において、入力画像データがＲＧＢデータである場合の作成条件と、入力画像データがＣＭＹＫデータである場合の作成条件との間で共通の設定を行わない場合には（ステップＳ１５；ＮＯ）、ＣＰＵ１１により、ＲＧＢデータ、ＣＭＹＫデータ毎に、オブジェクト間で共通して適用される設定項目が設けられた設定画面が表示部１５に表示される（ステップＳ１７）。
【０１０３】
図１０に、ステップＳ１７において表示される設定画面１５２の例を示す。設定画面１５２は、ＲＧＢ設定領域５０、ＣＭＹＫ設定領域５１を有する。
【０１０４】
ＲＧＢ設定領域５０は、入力画像データがＲＧＢデータである場合の作成条件についてオブジェクト間で共通して適用される設定項目を有する領域である。ＲＧＢ設定領域５０には、レンダリングインテント設定領域５２、Ｃ，Ｍ，Ｙ，Ｒ，Ｇ，Ｂについての中間にごり除去設定領域５３、墨の置換設定領域５４が含まれる。
【０１０５】
デバイスリンクプロファイル１３６の作成条件を設定する際に（ステップＳ２４）、ＲＧＢ設定領域５０において設定される設定内容は、ＣＰＵ１１により、ＲＧＢイメージ用作成条件、ＲＧＢテキスト用作成条件、ＲＧＢグラフィック用作成条件の設定内容として、ＲＡＭ１２に格納される。
【０１０６】
ＣＭＹＫ設定領域５１は、入力画像データがＣＭＹＫデータである場合の作成条件についてオブジェクト間で共通して適用される設定項目を有する領域である。ＣＭＹＫ設定領域５１には、レンダリングインテント設定領域５５、Ｃ，Ｍ，Ｙ，Ｋ，Ｒ，Ｇ，Ｂについての中間にごり除去設定領域５６、Ｃ，Ｍ，Ｙ，Ｋ，Ｒ，Ｇ，Ｂについてのベタ保持設定領域５７、用紙シミュレーション設定領域５８が含まれる。
【０１０７】
デバイスリンクプロファイル１３６の作成条件を設定する際に（ステップＳ２４）、ＣＭＹＫ設定領域５１において設定される設定内容は、ＣＰＵ１１により、ＣＭＹＫイメージ用作成条件、ＣＭＹＫテキスト用作成条件、ＣＭＹＫグラフィック用作成条件の設定内容として、ＲＡＭ１２に格納される。
【０１０８】
ステップＳ１４において、入力画像データがＲＧＢデータである場合の作成条件についてオブジェクト間で共通の設定を行わない場合には（ステップＳ１４；ＮＯ）、ＣＰＵ１１により、ＲＧＢデータについてはオブジェクト毎に設定項目が設けられた設定画面であって、ＣＭＹＫデータについてはオブジェクト間で共通して適用される設定項目が設けられた設定画面が表示部１５に表示される（ステップＳ１８）。
【０１０９】
図１１に、ステップＳ１８において表示される設定画面１５３の例を示す。設定画面１５３は、ＲＧＢイメージ用設定領域６０、ＲＧＢテキスト用設定領域６１、ＲＧＢグラフィック用設定領域６２、ＣＭＹＫ設定領域６３を有する。
【０１１０】
ＲＧＢイメージ用設定領域６０は、入力画像データがＲＧＢデータである場合のイメージオブジェクトについての作成条件を設定するための領域である。ＲＧＢイメージ用設定領域６０には、レンダリングインテント設定領域６４、Ｃ，Ｍ，Ｙ，Ｒ，Ｇ，Ｂについての中間にごり除去設定領域６５、墨の置換設定領域６６が含まれる。
【０１１１】
デバイスリンクプロファイル１３６の作成条件を設定する際に（ステップＳ２４）、ＲＧＢイメージ用設定領域６０において設定される設定内容は、ＣＰＵ１１により、ＲＧＢイメージ用作成条件の設定内容として、ＲＡＭ１２に格納される。
【０１１２】
ＲＧＢテキスト用設定領域６１は、入力画像データがＲＧＢデータである場合のテキストオブジェクトについての作成条件を設定するための領域である。ＲＧＢテキスト用設定領域６１には、レンダリングインテント設定領域６７、Ｃ，Ｍ，Ｙ，Ｒ，Ｇ，Ｂについての中間にごり除去設定領域６８、墨の置換設定領域６９が含まれる。
【０１１３】
デバイスリンクプロファイル１３６の作成条件を設定する際に（ステップＳ２４）、ＲＧＢテキスト用設定領域６１において設定される設定内容は、ＣＰＵ１１により、ＲＧＢテキスト用作成条件の設定内容として、ＲＡＭ１２に格納される。
【０１１４】
ＲＧＢグラフィック用設定領域６２は、入力画像データがＲＧＢデータである場合のグラフィックオブジェクトについての作成条件を設定するための領域である。ＲＧＢグラフィック用設定領域６２には、レンダリングインテント設定領域７０、Ｃ，Ｍ，Ｙ，Ｒ，Ｇ，Ｂについての中間にごり除去設定領域７１、墨の置換設定領域７２が含まれる。
【０１１５】
デバイスリンクプロファイル１３６の作成条件を設定する際に（ステップＳ２４）、ＲＧＢグラフィック用設定領域６２において設定される設定内容は、ＣＰＵ１１により、ＲＧＢグラフィック用作成条件の設定内容として、ＲＡＭ１２に格納される。
【０１１６】
ＣＭＹＫ設定領域６３は、入力画像データがＣＭＹＫデータである場合の作成条件についてオブジェクト間で共通して適用される設定項目を有する領域である。ＣＭＹＫ設定領域６３には、レンダリングインテント設定領域７３、Ｃ，Ｍ，Ｙ，Ｋ，Ｒ，Ｇ，Ｂについての中間にごり除去設定領域７４、Ｃ，Ｍ，Ｙ，Ｋ，Ｒ，Ｇ，Ｂについてのベタ保持設定領域７５、用紙シミュレーション設定領域７６が含まれる。
【０１１７】
デバイスリンクプロファイル１３６の作成条件を設定する際に（ステップＳ２４）、ＣＭＹＫ設定領域６３において設定される設定内容は、ＣＰＵ１１により、ＣＭＹＫイメージ用作成条件、ＣＭＹＫテキスト用作成条件、ＣＭＹＫグラフィック用作成条件の設定内容として、ＲＡＭ１２に格納される。
【０１１８】
ステップＳ１３において、入力画像データがＣＭＹＫデータである場合の作成条件についてオブジェクト間で共通の設定を行わない場合には（ステップＳ１３；ＮＯ）、図８に移行し、ＣＰＵ１１により、入力画像データがＲＧＢデータである場合の作成条件についてオブジェクト間で共通の設定を行うか否かが判断される（ステップＳ１９）。
【０１１９】
入力画像データがＲＧＢデータである場合の作成条件についてオブジェクト間で共通の設定を行う場合には（ステップＳ１９；ＹＥＳ）、ＣＰＵ１１により、ＲＧＢデータについてはオブジェクト間で共通して適用される設定項目が設けられた設定画面であって、ＣＭＹＫデータについてはオブジェクト毎に設定項目が設けられた設定画面が表示部１５に表示される（ステップＳ２０）。
【０１２０】
ステップＳ１９において、入力画像データがＲＧＢデータである場合の作成条件についてオブジェクト間で共通の設定を行わない場合には（ステップＳ１９；ＮＯ）、ＣＰＵ１１により、入力画像データがＲＧＢデータである場合の作成条件と、入力画像データがＣＭＹＫデータである場合の作成条件との間で共通の設定を行うか否かが判断される（ステップＳ２１）。
【０１２１】
入力画像データがＲＧＢデータである場合の作成条件と、入力画像データがＣＭＹＫデータである場合の作成条件との間で共通の設定を行わない場合には（ステップＳ２１；ＮＯ）、ＣＰＵ１１により、ＲＧＢデータ、ＣＭＹＫデータ毎に、オブジェクト毎に作成条件を設定するための設定画面が表示部１５に表示される（ステップＳ２２）。すなわち、ＣＰＵ１１により、ＲＧＢイメージ用作成条件、ＲＧＢテキスト用作成条件、ＲＧＢグラフィック用作成条件、ＣＭＹＫイメージ用作成条件、ＣＭＹＫテキスト用作成条件、ＣＭＹＫグラフィック用作成条件を個別に設定するための設定画面が表示部１５に表示される。
【０１２２】
ステップＳ２１において、入力画像データがＲＧＢデータである場合の作成条件と、入力画像データがＣＭＹＫデータである場合の作成条件との間で共通の設定を行う場合には（ステップＳ２１；ＹＥＳ）、ＣＰＵ１１により、ＲＧＢデータとＣＭＹＫデータとの間でオブジェクト毎に共通して適用される設定項目が設けられた設定画面が表示部１５に表示される（ステップＳ２３）。
【０１２３】
図１２に、ステップＳ２３において表示される設定画面１５４の例を示す。設定画面１５４は、イメージ用設定領域８０、テキスト用設定領域８１、グラフィック用設定領域８２、ＲＧＢ固有設定領域８３、ＣＭＹＫ固有設定領域８４を有する。
【０１２４】
イメージ用設定領域８０は、入力画像データがＲＧＢデータである場合とＣＭＹＫデータである場合に共通のイメージオブジェクトについての作成条件を設定するための領域である。イメージ用設定領域８０には、レンダリングインテント設定領域８５、Ｃ，Ｍ，Ｙ，Ｒ，Ｇ，Ｂについての中間にごり除去設定領域８６が含まれる。
【０１２５】
デバイスリンクプロファイル１３６の作成条件を設定する際に（ステップＳ２４）、イメージ用設定領域８０において設定される設定内容は、ＣＰＵ１１により、ＲＧＢイメージ用作成条件、ＣＭＹＫイメージ用作成条件の設定内容として、ＲＡＭ１２に格納される。
【０１２６】
テキスト用設定領域８１は、入力画像データがＲＧＢデータである場合とＣＭＹＫデータである場合に共通のテキストオブジェクトについての作成条件を設定するための領域である。テキスト用設定領域８１には、レンダリングインテント設定領域８７、Ｃ，Ｍ，Ｙ，Ｒ，Ｇ，Ｂについての中間にごり除去設定領域８８が含まれる。
【０１２７】
デバイスリンクプロファイル１３６の作成条件を設定する際に（ステップＳ２４）、テキスト用設定領域８１において設定される設定内容は、ＣＰＵ１１により、ＲＧＢテキスト用作成条件、ＣＭＹＫテキスト用作成条件の設定内容として、ＲＡＭ１２に格納される。
【０１２８】
グラフィック用設定領域８２は、入力画像データがＲＧＢデータである場合とＣＭＹＫデータである場合に共通のグラフィックオブジェクトについての作成条件を設定するための領域である。グラフィック用設定領域８２には、レンダリングインテント設定領域８９、Ｃ，Ｍ，Ｙ，Ｒ，Ｇ，Ｂについての中間にごり除去設定領域９０が含まれる。
【０１２９】
デバイスリンクプロファイル１３６の作成条件を設定する際に（ステップＳ２４）、グラフィック用設定領域８２において設定される設定内容は、ＣＰＵ１１により、ＲＧＢグラフィック用作成条件、ＣＭＹＫグラフィック用作成条件の設定内容として、ＲＡＭ１２に格納される。
【０１３０】
ＲＧＢ固有設定領域８３は、ＲＧＢデータに固有の設定項目を有する領域である。ＲＧＢ固有設定領域８３には、墨の置換設定領域９１が含まれる。
【０１３１】
デバイスリンクプロファイル１３６の作成条件を設定する際に（ステップＳ２４）、ＲＧＢ固有設定領域８３において設定される設定内容は、ＣＰＵ１１により、ＲＧＢイメージ用作成条件、ＲＧＢテキスト用作成条件、ＲＧＢグラフィック用作成条件の設定内容として、ＲＡＭ１２に格納される。
【０１３２】
ＣＭＹＫ固有設定領域８４は、ＣＭＹＫデータに固有の設定項目を有する領域である。ＣＭＹＫ固有設定領域８４には、Ｋについての中間にごり除去設定領域９２、Ｃ，Ｍ，Ｙ，Ｋ，Ｒ，Ｇ，Ｂについてのベタ保持設定領域９３、用紙シミュレーション設定領域９４が含まれる。
【０１３３】
デバイスリンクプロファイル１３６の作成条件を設定する際に（ステップＳ２４）、ＣＭＹＫ固有設定領域８４において設定される設定内容は、ＣＰＵ１１により、ＣＭＹＫイメージ用作成条件、ＣＭＹＫテキスト用作成条件、ＣＭＹＫグラフィック用作成条件の設定内容として、ＲＡＭ１２に格納される。
【０１３４】
ステップＳ１６、ステップＳ１７、ステップＳ１８、ステップＳ２０、ステップＳ２２又はステップＳ２３で表示された各設定画面において、ＣＰＵ１１により、ユーザの操作部１４からの操作に基づいて、複数のデバイスリンクプロファイル１３６（ＲＧＢイメージ用デバイスリンクプロファイル１３６ａ、ＲＧＢテキスト用デバイスリンクプロファイル１３６ｂ、ＲＧＢグラフィック用デバイスリンクプロファイル１３６ｃ、ＣＭＹＫイメージ用デバイスリンクプロファイル１３６ｄ、ＣＭＹＫテキスト用デバイスリンクプロファイル１３６ｅ、ＣＭＹＫグラフィック用デバイスリンクプロファイル１３６ｆ）の作成条件が設定される（ステップＳ２４）。設定された複数のデバイスリンクプロファイル１３６の作成条件は、ＣＰＵ１１により、ＲＡＭ１２に格納される。
【０１３５】
次に、ＣＰＵ１１により、作成条件の設定内容（６種類の作成条件）を保存するか否かが判断される（ステップＳ２５）。設定内容を保存する場合には（ステップＳ２５；ＹＥＳ）、ＣＰＵ１１により、ＲＡＭ１２に記憶されている設定内容がプリセット設定情報１３９として記憶部１３に保存される（ステップＳ２６）。
【０１３６】
ステップＳ２５において設定内容を保存しない場合（ステップＳ２５；ＮＯ）、ステップＳ２６の後、又は、ステップＳ１２の後、図６に戻り、ＣＰＵ１１により、デバイスリンクプロファイルの作成条件一括設定処理Ａにおいて設定された６種類の作成条件（ＲＧＢイメージ用作成条件、ＲＧＢテキスト用作成条件、ＲＧＢグラフィック用作成条件、ＣＭＹＫイメージ用作成条件、ＣＭＹＫテキスト用作成条件、ＣＭＹＫグラフィック用作成条件）のうち一の作成条件に基づいて、デバイスリンクプロファイル１３６が作成される（ステップＳ５）。作成されたデバイスリンクプロファイル１３６は、ＣＰＵ１１により、記憶部１３に記憶される。
【０１３７】
次に、ＣＰＵ１１により、全種類のデバイスリンクプロファイル１３６の作成が終了したか否かが判断される（ステップＳ６）。作成が終了していないデバイスリンクプロファイル１３６が存在する場合には（ステップＳ６；ＮＯ）、ステップＳ５に戻り、ＣＰＵ１１により、次の作成条件に基づいて、デバイスリンクプロファイル１３６が作成される（ステップＳ５）。全種類のデバイスリンクプロファイル１３６の作成が終了した場合には（ステップＳ６；ＹＥＳ）、デバイスリンクプロファイル作成処理が終了する。このように、ＣＰＵ１１により、複数の作成条件が一括して作成された後（ステップＳ４）、複数のデバイスリンクプロファイル１３６が一括して作成される（ステップＳ５，Ｓ６）。
【０１３８】
デバイスリンクプロファイル作成処理において作成された複数のデバイスリンクプロファイル１３６は、ＣＰＵ１１により、ネットワークＩＦ部１６を介してプリンタコントローラ２０に送信される。
【０１３９】
プリンタコントローラ２０では、プリンタＩＦ部２７によりクライアントＰＣ１０から送信された複数のデバイスリンクプロファイル１３６が受信され、ＣＰＵ２１により、記憶部２３にデバイスリンクプロファイル２３３として記憶される。プリンタコントローラ２０では、クライアントＰＣ１０から受信される印刷データに応じて、複数のデバイスリンクプロファイル２３３を使用して色変換処理が行われる。
【０１４０】
以上説明したように、第１の実施の形態におけるクライアントＰＣ１０によれば、二以上の作成条件について共通の設定項目については、二以上の作成条件を一括して設定することができるので、複数のデバイスリンクプロファイル１３６を作成するための作成条件の設定を容易に行うことができる。例えば、ＲＧＢデータ、ＣＭＹＫデータのそれぞれに対する作成条件の設定、オブジェクト毎の作成条件の設定を容易に行うことができる。
【０１４１】
また、入力画像データがＲＧＢデータである場合のオブジェクト毎の作成条件、及び、入力画像データがＣＭＹＫデータである場合のオブジェクト毎の作成条件を設定する際に、二以上の作成条件について共通して適用される設定項目を設定画面に設けることにより、ＲＧＢデータのオブジェクト毎の作成条件、ＣＭＹＫデータのオブジェクト毎の作成条件の設定を容易に行うことができる。
【０１４２】
また、入力画像データがＲＧＢデータである場合の作成条件と、入力画像データがＣＭＹＫデータである場合の作成条件との間で、同一のオブジェクトに対する共通の設定項目については、ＲＧＢデータに対する作成条件と、ＣＭＹＫデータに対する作成条件とを一括して設定することができるので、複数のデバイスリンクプロファイル１３６を作成するための作成条件の設定を容易に行うことができる。
【０１４３】
また、入力画像データがＲＧＢデータである場合の作成条件、又は、入力画像データがＣＭＹＫデータである場合の作成条件について、オブジェクト間での共通の設定項目については、二以上の作成条件を一括して設定することができるので、複数のデバイスリンクプロファイル１３６を作成するための作成条件の設定を容易に行うことができる。
【０１４４】
また、メーカー推奨設定情報１３８や、過去に設定されたプリセット設定情報１３９を利用することができるので、複数のデバイスリンクプロファイル１３６を作成するための作成条件の設定を容易に行うことができる。
【０１４５】
［第２の実施の形態］
次に、本発明を適用した第２の実施の形態について説明する。
第２の実施の形態における印刷システムは、第１の実施の形態に示した印刷システム１と同様の構成であるため、図１〜図５を援用し、その構成については図示及び説明を省略する。以下、第２の実施の形態に特徴的な構成及び処理について説明する。
【０１４６】
クライアントＰＣ１０のＣＰＵ１１は、デバイスリンクプロファイル作成プログラム１３１との協働により、表示部１５に表示された設定項目に従った操作部１４からの操作に基づいて複数のデバイス間の色変換処理に用いられるデバイスリンクプロファイル１３６の作成条件を少なくとも２種類以上設定し、当該設定された２種類以上の作成条件のそれぞれに基づいて複数のデバイスリンクプロファイル１３６を一括作成する。第２の実施の形態においても、ＣＰＵ１１は、ＲＧＢイメージ用作成条件、ＲＧＢグラフィック用作成条件、ＲＧＢテキスト用作成条件、ＣＭＹＫイメージ用作成条件、ＣＭＹＫグラフィック用作成条件、ＣＭＹＫテキスト用作成条件の計６種類の作成条件を設定する。
【０１４７】
ＣＰＵ１１は、２種類以上の作成条件を設定する際に、２種類以上の作成条件のうち二以上の作成条件について共通して適用される設定項目を有する設定画面を表示部１５に表示させる。
【０１４８】
具体的には、ＣＰＵ１１は、入力画像データがＲＧＢデータである場合の作成条件、又は、入力画像データがＣＭＹＫデータである場合の作成条件について、一のオブジェクトについての作成条件を設定する際に、他のオブジェクトについての作成条件に対しても同様の設定を反映させるか否かを設定画面上で選択可能とする。そして、ＣＰＵ１１は、他のオブジェクトについての作成条件を設定する際に、他のオブジェクトについての作成条件に対して同様の設定を反映させることが選択された項目については設定の変更を禁止する。すなわち、ＣＰＵ１１は、入力画像データがＲＧＢデータである場合の作成条件、又は、入力画像データがＣＭＹＫデータである場合の作成条件について、一のオブジェクトについての作成条件を設定する際に、入力画像データを構成する複数種類のオブジェクト間で共通して適用される設定項目を有する設定画面を表示部１５に表示させている。
【０１４９】
また、ＣＰＵ１１は、あるオブジェクトについての作成条件の設定において、一のデータ形式（ＲＧＢデータ又はＣＭＹＫデータ）についての作成条件を設定する際に、他のデータ形式についての作成条件に対しても同様の設定を反映させるか否かを設定画面上で選択可能とする。そして、ＣＰＵ１１は、他のデータ形式についての作成条件を設定する際に、他のデータ形式についての作成条件に対して同様の設定を反映させることが選択された項目については設定の変更を禁止する。すなわち、ＣＰＵ１１は、一のデータ形式についての作成条件を設定する際に、他のデータ形式についての作成条件との間で、同一のオブジェクトについて共通して適用される設定項目を有する設定画面を表示部１５に表示させている。
【０１５０】
クライアントＰＣ１０において実行されるデバイスリンクプロファイル作成処理（図６参照）については、ステップＳ４のデバイスリンクプロファイルの作成条件一括設定処理Ａに代えて、図１３に示すデバイスリンクプロファイルの作成条件一括設定処理Ｂが実行されることを除いて、第１の実施の形態と同様である。
【０１５１】
ここで、図１３を参照して、デバイスリンクプロファイルの作成条件一括設定処理Ｂについて説明する。
まず、ＣＰＵ１１により、デバイスリンクプロファイル１３６の作成条件として、メーカー推奨設定情報１３８又はプリセット設定情報１３９が使用されるか否かが判断される（ステップＳ３１）。
【０１５２】
デバイスリンクプロファイル１３６の作成条件として、メーカー推奨設定情報１３８又はプリセット設定情報１３９が使用される場合には（ステップＳ３１；ＹＥＳ）、ＣＰＵ１１により、記憶部１３に記憶されているメーカー推奨設定情報１３８、及び、一又は複数のプリセット設定情報１３９が表示部１５に選択可能に表示される。そして、ＣＰＵ１１により、ユーザの操作部１４からの操作に基づいて、メーカー推奨設定情報１３８及びプリセット設定情報１３９の中からいずれか一の設定情報が選択される（ステップＳ３２）。ＣＰＵ１１により、選択された設定情報に含まれる６種類の作成条件が、複数のデバイスリンクプロファイル１３６を作成するための作成条件として設定される。
【０１５３】
ステップＳ３１において、デバイスリンクプロファイル１３６の作成条件として、メーカー推奨設定情報１３８又はプリセット設定情報１３９が使用されない場合（ステップＳ３１；ＮＯ）、すなわち、ユーザが新たに設定を行う場合には、ＣＰＵ１１により、ＲＧＢイメージ用作成条件設定画面が表示部１５に表示される（ステップＳ３３）。
【０１５４】
図１４に、ステップＳ３３において表示されるＲＧＢイメージ用作成条件設定画面１５５の例を示す。ＲＧＢイメージ用作成条件設定画面１５５は、レンダリングインテント設定領域１０１、Ｃ，Ｍ，Ｙ，Ｒ，Ｇ，Ｂについての中間にごり除去設定領域１０２，１０３，１０４，１０５，１０６，１０７、墨の置換設定領域１０８、「他のオブジェクトにも反映」チェックボックス１０９，１１０，１１１，１１２，１１３，１１４，１１５，１１６、「ＣＭＹＫイメージにも反映」チェックボックス１１７、「次のオブジェクト種別の設定へ」ボタン１１８を有する。
【０１５５】
レンダリングインテント設定領域１０１は、「測色的レンダリング」、「彩度レンダリング」、「知覚レンダリング」の中から色変換方法を指定するための領域である。Ｃ，Ｍ，Ｙ，Ｒ，Ｇ，Ｂについての中間にごり除去設定領域１０２，１０３，１０４，１０５，１０６，１０７は、それぞれ、入力画像の色がＣ，Ｍ，Ｙ，Ｒ，Ｇ，Ｂで構成されている場合に、プリンタ３０においても対応するＣ，Ｍ，Ｙの１色のみ、又は、Ｃ，Ｍ，Ｙの２色の組み合わせのみで再現するよう設定するための領域である。墨の置換設定領域１０８が「ＯＮ」に設定されると、色変換処理において、入力画像のＲＧＢ成分が等量の場合に、その色が墨（Ｋ）に置換される。
【０１５６】
「他のオブジェクトにも反映」チェックボックス１０９は、レンダリングインテント設定領域１０１で設定された内容を、ＲＧＢデータの他のオブジェクト（グラフィック、テキスト）についての作成条件にも反映させるか否かを設定するためのものである。すなわち、ＲＧＢイメージ用作成条件設定画面１５５は、ＲＧＢデータに対するレンダリングインテントの設定において、イメージオブジェクトと、グラフィックオブジェクト及びテキストオブジェクトとの間で共通して適用される設定項目を有している。
【０１５７】
「他のオブジェクトにも反映」チェックボックス１１０は、Ｃについての中間にごり除去設定領域１０２で設定された内容を、ＲＧＢデータの他のオブジェクト（グラフィック、テキスト）についての作成条件にも反映させるか否かを設定するためのものである。すなわち、ＲＧＢイメージ用作成条件設定画面１５５は、ＲＧＢデータに対するＣについての中間にごり除去の設定において、イメージオブジェクトと、グラフィックオブジェクト及びテキストオブジェクトとの間で共通して適用される設定項目を有している。
【０１５８】
「他のオブジェクトにも反映」チェックボックス１１１は、Ｍについての中間にごり除去設定領域１０３で設定された内容を、ＲＧＢデータの他のオブジェクト（グラフィック、テキスト）についての作成条件にも反映させるか否かを設定するためのものである。すなわち、ＲＧＢイメージ用作成条件設定画面１５５は、ＲＧＢデータに対するＭについての中間にごり除去の設定において、イメージオブジェクトと、グラフィックオブジェクト及びテキストオブジェクトとの間で共通して適用される設定項目を有している。
【０１５９】
「他のオブジェクトにも反映」チェックボックス１１２は、Ｙについての中間にごり除去設定領域１０４で設定された内容を、ＲＧＢデータの他のオブジェクト（グラフィック、テキスト）についての作成条件にも反映させるか否かを設定するためのものである。すなわち、ＲＧＢイメージ用作成条件設定画面１５５は、ＲＧＢデータに対するＹについての中間にごり除去の設定において、イメージオブジェクトと、グラフィックオブジェクト及びテキストオブジェクトとの間で共通して適用される設定項目を有している。
【０１６０】
「他のオブジェクトにも反映」チェックボックス１１３は、Ｒについての中間にごり除去設定領域１０５で設定された内容を、ＲＧＢデータの他のオブジェクト（グラフィック、テキスト）についての作成条件にも反映させるか否かを設定するためのものである。すなわち、ＲＧＢイメージ用作成条件設定画面１５５は、ＲＧＢデータに対するＲについての中間にごり除去の設定において、イメージオブジェクトと、グラフィックオブジェクト及びテキストオブジェクトとの間で共通して適用される設定項目を有している。
【０１６１】
「他のオブジェクトにも反映」チェックボックス１１４は、Ｇについての中間にごり除去設定領域１０６で設定された内容を、ＲＧＢデータの他のオブジェクト（グラフィック、テキスト）についての作成条件にも反映させるか否かを設定するためのものである。すなわち、ＲＧＢイメージ用作成条件設定画面１５５は、ＲＧＢデータに対するＧについての中間にごり除去の設定において、イメージオブジェクトと、グラフィックオブジェクト及びテキストオブジェクトとの間で共通して適用される設定項目を有している。
【０１６２】
「他のオブジェクトにも反映」チェックボックス１１５は、Ｂについての中間にごり除去設定領域１０７で設定された内容を、ＲＧＢデータの他のオブジェクト（グラフィック、テキスト）についての作成条件にも反映させるか否かを設定するためのものである。すなわち、ＲＧＢイメージ用作成条件設定画面１５５は、ＲＧＢデータに対するＢについての中間にごり除去の設定において、イメージオブジェクトと、グラフィックオブジェクト及びテキストオブジェクトとの間で共通して適用される設定項目を有している。
【０１６３】
「他のオブジェクトにも反映」チェックボックス１１６は、墨の置換設定領域１０８で設定された内容を、ＲＧＢデータの他のオブジェクト（グラフィック、テキスト）についての作成条件にも反映させるか否かを設定するためのものである。すなわち、ＲＧＢイメージ用作成条件設定画面１５５は、ＲＧＢデータに対する墨の置換の設定において、イメージオブジェクトと、グラフィックオブジェクト及びテキストオブジェクトとの間で共通して適用される設定項目を有している。
【０１６４】
「ＣＭＹＫイメージにも反映」チェックボックス１１７は、レンダリングインテント設定領域１０１、Ｃ，Ｍ，Ｙ，Ｒ，Ｇ，Ｂについての中間にごり除去設定領域１０２，１０３，１０４，１０５，１０６，１０７で設定された内容を、ＣＭＹＫデータのイメージオブジェクトについての作成条件にも反映させるか否かを設定するためのものである。すなわち、ＲＧＢイメージ用作成条件設定画面１５５は、レンダリングインテント及び中間にごり除去の設定において、ＲＧＢデータとＣＭＹＫデータとの間で同一のオブジェクトについて共通して適用される設定項目を有している。
【０１６５】
「次のオブジェクト種別の設定へ」ボタン１１８は、次のオブジェクト種別についての作成条件の設定画面への移行を指示するためのボタンである。
【０１６６】
次に、ＣＰＵ１１により、ユーザの操作部１４からの操作に基づいて、ＲＧＢイメージ用作成条件が設定される（ステップＳ３４）。
【０１６７】
図１４に示す例では、レンダリングインテント設定領域１０１において「測色的レンダリング」が設定され、Ｃについての中間にごり除去設定領域１０２において「ＯＮ」が設定され、Ｍについての中間にごり除去設定領域１０３において「ＯＦＦ」が設定され、Ｙについての中間にごり除去設定領域１０４において「ＯＮ」が設定され、Ｒについての中間にごり除去設定領域１０５において「ＯＮ」が設定され、Ｇについての中間にごり除去設定領域１０６において「ＯＦＦ」が設定され、Ｂについての中間にごり除去設定領域１０７において「ＯＮ」が設定され、墨の置換設定領域１０８において「ＯＮ」が設定されている。これらの設定内容は、ＣＰＵ１１により、ＲＧＢイメージ用作成条件の設定内容として、ＲＡＭ１２に格納される。
【０１６８】
また、「他のオブジェクトにも反映」チェックボックス１０９，１１１，１１３，１１４において、レンダリングインテント設定領域１０１、Ｍについての中間にごり除去設定領域１０３、Ｒについての中間にごり除去設定領域１０５、Ｇについての中間にごり除去設定領域１０６の設定内容を他のオブジェクトにも反映させることが設定されているから、これらの設定内容は、ＣＰＵ１１により、ＲＧＢグラフィック用作成条件及びＲＧＢテキスト用作成条件の設定内容として、ＲＡＭ１２に格納される。
【０１６９】
また、「ＣＭＹＫイメージにも反映」チェックボックス１１７において、レンダリングインテント設定領域１０１、Ｃ，Ｍ，Ｙ，Ｒ，Ｇ，Ｂについての中間にごり除去設定領域１０２，１０３，１０４，１０５，１０６，１０７の設定内容を、ＣＭＹＫデータのイメージオブジェクトについての作成条件にも反映させることが設定されているから、これらの設定内容は、ＣＰＵ１１により、ＣＭＹＫイメージ用作成条件の設定内容として、ＲＡＭ１２に格納される。
【０１７０】
次に、ＣＰＵ１１により、ＲＧＢグラフィック用作成条件設定画面が表示部１５に表示される（ステップＳ３５）。
【０１７１】
図１５に、ステップＳ３５において表示されるＲＧＢグラフィック用作成条件設定画面１５６の例を示す。ＲＧＢグラフィック用作成条件設定画面１５６は、レンダリングインテント設定領域２０１、Ｃ，Ｍ，Ｙ，Ｒ，Ｇ，Ｂについての中間にごり除去設定領域２０２，２０３，２０４，２０５，２０６，２０７、墨の置換設定領域２０８、「他のオブジェクトにも反映」チェックボックス２０９，２１０，２１１，２１２，２１３，２１４，２１５，２１６、「ＣＭＹＫグラフィックにも反映」チェックボックス２１７、「次のオブジェクト種別の設定へ」ボタン２１８を有する。
【０１７２】
図１４に示したＲＧＢイメージ用作成条件設定画面１５５において、「他のオブジェクトにも反映」チェックボックス１０９が「ＯＮ」に設定されていたため、ＣＰＵ１１により、ＲＧＢグラフィック用作成条件設定画面１５６のレンダリングインテント設定領域２０１では、レンダリングインテント設定領域１０１と同じ「測色的レンダリング」が設定されている。そして、ＣＰＵ１１により、レンダリングインテント設定領域２０１及び「他のオブジェクトにも反映」チェックボックス２０９が通常とは異なる表示態様（グレイアウト等）で表示され、設定の変更が禁止される。すなわち、レンダリングインテント設定領域２０１において、他の色変換方法を指定することはできない。
【０１７３】
同様に、ＣＰＵ１１により、ＲＧＢグラフィック用作成条件設定画面１５６において、Ｍについての中間にごり除去設定領域２０３は「ＯＦＦ」に設定されており、Ｒについての中間にごり除去設定領域２０５は「ＯＮ」に設定されており、Ｇについての中間にごり除去設定領域２０６は「ＯＦＦ」に設定されている。そして、ＣＰＵ１１により、Ｍについての中間にごり除去設定領域２０３、Ｒについての中間にごり除去設定領域２０５、Ｇについての中間にごり除去設定領域２０６、「他のオブジェクトにも反映」チェックボックス２１１，２１３，２１４が通常とは異なる表示態様で表示され、設定の変更が禁止される。
【０１７４】
次に、ＣＰＵ１１により、ユーザの操作部１４からの操作に基づいて、ＲＧＢグラフィック用作成条件が設定される（ステップＳ３６）。ＲＧＢグラフィック用作成条件設定画面１５６では、Ｃ，Ｙ，Ｂについての中間にごり除去設定領域２０２，２０４，２０７、墨の置換設定領域２０８のみについて設定が行われる。設定された作成条件は、ＣＰＵ１１により、ＲＧＢグラフィック用作成条件の設定内容として、ＲＡＭ１２に格納される。
【０１７５】
また、「ＣＭＹＫグラフィックにも反映」チェックボックス２１７において、レンダリングインテント設定領域２０１、Ｃ，Ｍ，Ｙ，Ｒ，Ｇ，Ｂについての中間にごり除去設定領域２０２，２０３，２０４，２０５，２０６，２０７の設定内容を、ＣＭＹＫデータのグラフィックオブジェクトについての作成条件にも反映させることが設定されているから、これらの設定内容は、ＣＰＵ１１により、ＣＭＹＫグラフィック用作成条件の設定内容として、ＲＡＭ１２に格納される。
【０１７６】
次に、ＣＰＵ１１により、ＲＧＢテキスト用作成条件設定画面が表示部１５に表示される（ステップＳ３７）。具体的には、ＣＰＵ１１により、ＲＧＢイメージ用作成条件設定画面１５５（図１４）又はＲＧＢグラフィック用作成条件設定画面１５６（図１５）において「他のオブジェクトにも反映」チェックボックス１０９〜１１６，２０９〜２１６が「ＯＮ」に設定された項目については、設定内容がＲＧＢテキスト用作成条件設定画面上に反映され、設定の変更が禁止される。
【０１７７】
次に、ＣＰＵ１１により、ユーザの操作部１４からの操作に基づいて、ＲＧＢテキスト用作成条件が設定される（ステップＳ３８）。設定された作成条件は、ＣＰＵ１１により、ＲＧＢテキスト用作成条件として、ＲＡＭ１２に格納される。
【０１７８】
また、ＲＧＢテキスト用作成条件設定画面の「ＣＭＹＫテキストにも反映」チェックボックスが「ＯＮ」に設定されている場合には、ＲＧＢテキスト用作成条件設定画面のレンダリングインテント設定領域、Ｃ，Ｍ，Ｙ，Ｒ，Ｇ，Ｂについての中間にごり除去設定領域の設定内容が、ＣＰＵ１１により、ＣＭＹＫテキスト用作成条件の設定内容として、ＲＡＭ１２に格納される。
【０１７９】
次に、ＣＰＵ１１により、ＣＭＹＫイメージ用作成条件設定画面が表示部１５に表示される（ステップＳ３９）。具体的には、ＲＧＢイメージ用作成条件設定画面１５５（図１４）において「ＣＭＹＫイメージにも反映」チェックボックス１１７が「ＯＮ」に設定されていたため、ＣＰＵ１１により、ＲＧＢデータとＣＭＹＫデータとの間で共通の設定項目（レンダリングインテント、Ｃ，Ｍ，Ｙ，Ｒ，Ｇ，Ｂについての中間にごり除去）については、設定内容がＣＭＹＫイメージ用作成条件設定画面上に反映される。そして、ＣＰＵ１１により、設定内容が反映された項目については、通常とは異なる表示態様で表示され、設定の変更が禁止される。
【０１８０】
次に、ＣＰＵ１１により、ユーザの操作部１４からの操作に基づいて、ＣＭＹＫイメージ用作成条件が設定される（ステップＳ４０）。設定された作成条件は、ＣＰＵ１１により、ＣＭＹＫイメージ用作成条件として、ＲＡＭ１２に格納される。
【０１８１】
また、ＣＭＹＫイメージ用作成条件設定画面の「他のオブジェクトにも反映」チェックボックスにおいて、各設定内容をＣＭＹＫデータの他のオブジェクト（グラフィック、テキスト）に対する作成条件にも反映させることが設定されている項目については、ＣＰＵ１１により、ＣＭＹＫイメージ用作成条件設定画面における設定内容が、ＣＭＹＫグラフィック用作成条件及びＣＭＹＫテキスト用作成条件の設定内容として、ＲＡＭ１２に格納される。
【０１８２】
次に、ＣＰＵ１１により、ＣＭＹＫグラフィック用作成条件設定画面が表示部１５に表示される（ステップＳ４１）。具体的には、ＲＧＢグラフィック用作成条件設定画面１５６（図１５）において「ＣＭＹＫグラフィックにも反映」チェックボックス２１７が「ＯＮ」に設定されていたため、ＣＰＵ１１により、ＲＧＢデータとＣＭＹＫデータとの間で共通の設定項目については、設定内容がＣＭＹＫグラフィック用作成条件設定画面上に反映される。そして、ＣＰＵ１１により、設定内容が反映された項目については、通常とは異なる表示態様で表示され、設定の変更が禁止される。
【０１８３】
また、ＣＭＹＫグラフィック用作成条件設定画面では、ＣＰＵ１１により、ＣＭＹＫイメージ用作成条件設定画面において「他のオブジェクトにも反映」チェックボックスが「ＯＮ」に設定された項目については、設定内容が反映される。そして、ＣＰＵ１１により、設定内容が反映された項目については、通常とは異なる表示態様で表示され、設定の変更が禁止される。
【０１８４】
次に、ＣＰＵ１１により、ユーザの操作部１４からの操作に基づいて、ＣＭＹＫグラフィック用作成条件が設定される（ステップＳ４２）。設定された作成条件は、ＣＰＵ１１により、ＣＭＹＫグラフィック用作成条件として、ＲＡＭ１２に格納される。
【０１８５】
また、ＣＭＹＫグラフィック用作成条件設定画面の「他のオブジェクトにも反映」チェックボックスにおいて、各設定内容を他のオブジェクト（イメージ、テキスト）にも反映させることが設定されている項目については、ＣＰＵ１１により、ＣＭＹＫグラフィック用作成条件設定画面における設定内容が、ＣＭＹＫイメージ用作成条件及びＣＭＹＫテキスト用作成条件の設定内容として、ＲＡＭ１２に格納される。
【０１８６】
次に、ＣＰＵ１１により、ＣＭＹＫテキスト用作成条件設定画面が表示部１５に表示される（ステップＳ４３）。具体的には、ＲＧＢテキスト用作成条件設定画面において「ＣＭＹＫテキストにも反映」チェックボックスが「ＯＮ」に設定された場合には、ＣＰＵ１１により、ＲＧＢデータとＣＭＹＫデータとの間で共通の設定項目については、設定内容がＣＭＹＫテキスト用作成条件設定画面上に反映される。そして、ＣＰＵ１１により、設定内容が反映された項目については、通常とは異なる表示態様で表示され、設定の変更が禁止される。
【０１８７】
また、ＣＭＹＫテキスト用作成条件設定画面では、ＣＰＵ１１により、ＣＭＹＫイメージ用作成条件設定画面又はＣＭＹＫグラフィック用作成条件設定画面において「他のオブジェクトにも反映」チェックボックスが「ＯＮ」に設定された項目については、設定内容が反映される。そして、ＣＰＵ１１により、設定内容が反映された項目については、通常とは異なる表示態様で表示され、設定の変更が禁止される。
【０１８８】
次に、ＣＰＵ１１により、ユーザの操作部１４からの操作に基づいて、ＣＭＹＫテキスト用作成条件が設定される（ステップＳ４４）。設定された作成条件は、ＣＰＵ１１により、ＣＭＹＫテキスト用作成条件として、ＲＡＭ１２に格納される。
【０１８９】
次に、ＣＰＵ１１により、作成条件の設定内容（６種類の作成条件）を保存するか否かが判断される（ステップＳ４５）。設定内容を保存する場合には（ステップＳ４５；ＹＥＳ）、ＣＰＵ１１により、ＲＡＭ１２に記憶されている設定内容がプリセット設定情報１３９として記憶部１３に保存される（ステップＳ４６）。
【０１９０】
ステップＳ４５において設定内容を保存しない場合（ステップＳ４５；ＮＯ）、ステップＳ４６の後、又は、ステップＳ３２の後、図６のステップＳ５に移行する。
【０１９１】
以上説明したように、第２の実施の形態におけるクライアントＰＣ１０によれば、二以上の作成条件について共通の設定項目については、二以上の作成条件を一括して設定することができるので、複数のデバイスリンクプロファイル１３６を作成するための作成条件の設定を容易に行うことができる。例えば、ＲＧＢデータ、ＣＭＹＫデータのそれぞれに対する作成条件の設定を容易に行うことができる。また、オブジェクト毎の作成条件の設定を容易に行うことができる。
【０１９２】
また、入力画像データがＲＧＢデータである場合のオブジェクト毎の作成条件、及び、入力画像データがＣＭＹＫデータである場合のオブジェクト毎の作成条件を設定する際に、二以上の作成条件について共通して適用される設定項目を設定画面に設けることにより、ＲＧＢデータのオブジェクト毎の作成条件、ＣＭＹＫデータのオブジェクト毎の作成条件の設定を容易に行うことができる。
【０１９３】
また、入力画像データがＲＧＢデータである場合の作成条件と、入力画像データがＣＭＹＫデータである場合の作成条件との間で、同一のオブジェクトに対する共通の設定項目については、ＲＧＢデータに対する作成条件と、ＣＭＹＫデータに対する作成条件とを一括して設定することができるので、複数のデバイスリンクプロファイル１３６を作成するための作成条件の設定を容易に行うことができる。
【０１９４】
また、入力画像データがＲＧＢデータである場合の作成条件、又は、入力画像データがＣＭＹＫデータである場合の作成条件について、オブジェクト間での共通の設定項目については、二以上の作成条件を一括して設定することができるので、複数のデバイスリンクプロファイル１３６を作成するための作成条件の設定を容易に行うことができる。
【０１９５】
また、メーカー推奨設定情報１３８や、過去に設定されたプリセット設定情報１３９を利用することができるので、複数のデバイスリンクプロファイル１３６を作成するための作成条件の設定を容易に行うことができる。
【０１９６】
なお、上記各実施の形態における記述は、本発明に係るデバイスリンクプロファイル作成装置の例であり、これに限定されるものではない。デバイスリンクプロファイル作成装置を構成する各部の細部構成及び細部動作に関しても本発明の趣旨を逸脱することのない範囲で適宜変更可能である。
【０１９７】
例えば、上記各実施の形態では、デバイスリンクプロファイル１３６の作成条件を６種類設定する場合を例にして説明したが、これに限定されるものではない。
【０１９８】
以上の説明では、各処理を実行するためのプログラムを格納したコンピュータ読み取り可能な媒体として不揮発性の半導体メモリやハードディスク等の記憶装置を使用した例を開示したが、この例に限定されない。その他のコンピュータ読み取り可能な媒体として、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【０１９９】
１  印刷システム
１０  クライアントＰＣ
１１  ＣＰＵ
１２  ＲＡＭ
１３  記憶部
１４  操作部
１５  表示部
１６  ネットワークＩＦ部
１７  測色器ＩＦ部
１８  バス
２０  プリンタコントローラ
２１  ＣＰＵ
２２  ＲＡＭ
２３  記憶部
２４  操作部
２５  表示部
２６  ネットワークＩＦ部
２７  プリンタＩＦ部
２８  バス
３０  プリンタ
３１  ＣＰＵ
３２  ＲＡＭ
３３  記憶部
３４  操作部
３５  表示部
３６  画像読取部
３７  印刷部
３８  コントローラＩＦ部
３９  バス
４０  ＲＧＢ／ＣＭＹＫ共通設定領域
４１  ＲＧＢ固有設定領域
４２  ＣＭＹＫ固有設定領域
５０  ＲＧＢ設定領域
５１  ＣＭＹＫ設定領域
６０  ＲＧＢイメージ用設定領域
６１  ＲＧＢテキスト用設定領域
６２  ＲＧＢグラフィック用設定領域
６３  ＣＭＹＫ設定領域
８０  イメージ用設定領域
８１  テキスト用設定領域
８２  グラフィック用設定領域
８３  ＲＧＢ固有設定領域
８４  ＣＭＹＫ固有設定領域
１０９，１１０，１１１，１１２，１１３，１１４，１１５，１１６  「他のオブジェクトにも反映」チェックボックス
１１７  「ＣＭＹＫイメージにも反映」チェックボックス
１３１  デバイスリンクプロファイル作成プログラム
１３２  プリンタドライバプログラム
１３３  ＲＧＢソースプロファイル
１３４  ＣＭＹＫソースプロファイル
１３５  デスティネーションプロファイル
１３６  デバイスリンクプロファイル
１３６ａ  ＲＧＢイメージ用デバイスリンクプロファイル
１３６ｂ  ＲＧＢテキスト用デバイスリンクプロファイル
１３６ｃ  ＲＧＢグラフィック用デバイスリンクプロファイル
１３６ｄ  ＣＭＹＫイメージ用デバイスリンクプロファイル
１３６ｅ  ＣＭＹＫテキスト用デバイスリンクプロファイル
１３６ｆ  ＣＭＹＫグラフィック用デバイスリンクプロファイル
１３７  作成条件設定情報
１３８  メーカー推奨設定情報
１３９  プリセット設定情報
１５１  設定画面
１５２  設定画面
１５３  設定画面
１５４  設定画面
１５５  ＲＧＢイメージ用作成条件設定画面
１５６  ＲＧＢグラフィック用作成条件設定画面
２０９，２１０，２１１，２１２，２１３，２１４，２１５，２１６  「他のオブジェクトにも反映」チェックボックス
２１７  「ＣＭＹＫグラフィックにも反映」チェックボックス
２３１  ＲＩＰ処理プログラム
２３２  ＣＭＳ処理プログラム
２３３  デバイスリンクプロファイル
【図１】
2011055379.tif 000003
【図２】
2011055379.tif 000004
【図３】
2011055379.tif 000005
【図４】
2011055379.tif 000006
【図５】
2011055379.tif 000007
【図６】
2011055379.tif 000008
【図７】
2011055379.tif 000009
【図８】
2011055379.tif 000010
【図９】
2011055379.tif 000011
【図１０】
2011055379.tif 000012
【図１１】
2011055379.tif 000013
【図１２】
2011055379.tif 000014
【図１３】
2011055379.tif 000015
【図１４】
2011055379.tif 000016
【図１５】
2011055379.tif 000017
【図１６】
2011055379.tif 000018